(57)【要約】      （修正有）【課題】多機能の便利傘スタンドを提供する。【解決手段】主に一つのスタンド本体１及び収納部品２で構成する。スタンド本体はサポート部１１及び、二つの制限部１２を具有し、各制限部は間隔を開けて設置し、各制限部が画設して差込穴１３を形成する。収納部品は、制限部の差込穴に設置し、収納部品の一端は収納槽２１を具有し、また、収納槽の周縁部分よりそれぞれフック部品を延伸する。且つ各フック部品との間は間隔を開けて設置し、且つ切断部分を形成する。各フック部品は収納部品にあり、差込穴から外した後、制限部に掛けて固定する。収納部品をうち一つの制限部の差込穴に設置した際、ユーザーは傘を差込穴に通してから収納槽の底に抵触するようにする。収納部品を差込穴内から外し、且つフック部品を使って制限部に掛けて固定する際、収納槽を使って体積が比較的小さい物品を収納することができる。【選択図】図１
0003200557.tif 000002
【実用新案登録請求の範囲】
【請求項１】
スタンド本体及び少なくとも一つの収納部品を含み、
該スタンド本体は少なくとも一つのサポート部及び少なくとも二つの制限部を具有し、該少なくとも二つの制限部は少なくとも一つのサポート部を連結し、且つ各制限部は間隔を開けて設置され、また各制限部は更に画設して少なくとも一つの差込穴を形成し、各制限部の少なくとも一つの差込穴は互いに対応して設置され、
該少なくとも一つの収納部品は、前記制限部の少なくとも一つの差込穴に設置され、該少なくとも一つの収納部品の一端は、内側に窪んで一つの収納槽を形成し、また、該収納槽の周縁部分より更にそれぞれ一つのフック部品を延伸し、且つ各フック部品の間は間隔を開けて複数の切断部分を形成し、各フック部品は少なくとも一つの収納部品にあり、少なくとも一つの差込穴から外した後、うち一つの制限部に掛けて固定し、
少なくとも一つの収納部品をうち一つの制限部の差込穴に設置した際、ユーザーは傘を別の制限部の差込穴に通してから、少なくとも一つの収納部品の収納槽の底に抵触するように置くことで、傘内の雨の滴を集めることができ、
少なくとも一つの収納部品を差込穴内から外し、且つフック部品を使って制限部に掛けて固定する際、ユーザーは収納槽を使って体積が比較的小さい物品を収納することが可能な多機能の便利傘スタンド。
【請求項２】
該少なくとも二つの制限部は更にそれぞれ一つの外枠部品を含み、少なくとも一つの差込穴は、外枠部品によって画設して形成し、また、別途設置した少なくとも一つの内部仕切部品の両端は外枠部品の内側と連接し、且つ少なくとも一つの差込穴を分け、該少なくとも一つの収納部品のフック部品は、外枠部品に掛けて、且つ少なくとも一つの差込穴の外側に設置することを特徴とする請求項１記載の多機能の便利傘スタンド。
【請求項３】
該少なくとも二つの制限部は、少なくとも一つのサポート部と同じ側に連結し、或いは、該少なくとも二つの制限部を少なくとも一つのサポート部の頂上と底の両端と連結し、且つそれぞれ少なくとも一つのサポート部の両サイドから凸伸し、或いは該少なくとも一つのサポート部は二枚のシートで形成し、且つ該二枚のシートをそれぞれ該少なくとも二つの制限部を挟むことを特徴とする請求項１記載の多機能の便利傘スタンド。
【考案の詳細な説明】
【技術分野】
【０００１】
本考案は多機能の便利傘スタンドの構造に関し、主な技術は傘を置くためのものであり、更に傘を畳んだ後に流れる雨の滴を入れる。サブ技術として、ユーザーが体積の比較的小さい物品を入れるスタンドとして、便利に素早く取って使用できる最良の実用性を持つ多機能の便利傘スタンドの構造に関する。
【背景技術】
【０００２】
雨が降っても傘を持てば人々は雨の中で行動することができ、体が雨に濡れて風邪を引くのを防止することができるため、外出する際のベストな必需品の一つである。雨を避けるほかに、太陽光の照射を遮ることもでき、体を支える役割もあるなど、傘は人々に多々なる便利性を与えているが、雨の日に、ユーザーが室外から室内に入ると、傘を畳んでも傘に付着した雨の滴は蒸発或いは落とすことができず、滴が傘の表面に残留して噴霧化或いは次第に侵蝕するなどの問題を起こす。この他、ユーザーが傘を畳んだ後、付着している雨の滴は、引力の影響で傘から流れ出し、地面に多くの水の跡を残し、美観を損なうと同時に、滑って転倒する危険性もある。よって、傘の関連業者は、傘を入れるスタンドを案出し、スタンドの下方に水溜め皿を設置した。傘をまとめて収納できるほか、傘についている雨の滴を水溜め皿に集めることができる。皿の中の水が一杯になってから捨てるだけでよい。しかし、この多元化社会において、単純に傘のみを置くスタンドでは、もはやユーザーに見向きもされない。どのようにして単純なスタンドを他のことにも応用できるのかが、今日の人々が求める目標である。
【０００３】
また、一般的に人々が身につけるもの、或いは家にある物品の中で、体積が比較的小さい物品が多い。多くのユーザーは箱或いは棚に整理して収納する。箱或いは棚を使った収納でも小物を整理して収納することはできるが、ユーザーが必要となったその瞬間に、更に多くの時間を使って、その物品を取る必要があるため、如何にして相同の小物をまとめ、且つ便利に迅速に取得できる効果に達するのか、更なる改善が必要であった。
【先行技術文献】
【特許文献】
【０００４】
【特許文献１】特開２００５−３０６３４１号公報
【考案の概要】
【考案が解決しようとする課題】
【０００５】
本考案の主な目的は、ユーザーが傘を整頓して置くことができ、更に滴を集めることができるため、水の跡により美観を損ね、及び危険が発生する可能性を減少する。本考案の次なる目的は、ユーザーが身の回りの小物を集めることができ、且つ素早く手に取れる効果を提供する。上述の二つの目的は同様のスタンドで果たせる機能である。従来技術の傘スタンドの改善は、単純に傘を整頓して置くのみしかなく、箱或いは棚は収納の役割はあるが、再び取る際にはユーザーが面倒に感じ、及び多くの時間を浪費するなどのデメリットを具有するため、多機能の便利傘スタンドの構造を提供することを主な課題とする。
【課題を解決するための手段】
【０００６】
上述の目的を解決するために、本考案は多機能の便利傘スタンドの構造を提供するものである。それに含まれるのはスタンド本体及び少なくとも一つの収納部品である。スタンド本体に具有するのは、少なくとも一つのサポート部及び少なくとも二つの制限部である。該少なくとも二つの制限部は少なくとも一つのサポート部を連結し、且つ各制限部は間隔を開けて設置され、また各制限部は更に画設して少なくとも一つの差込穴を形成し、各制限部の少なくとも一つの差込穴は互いに対応して設置される。該少なくとも一つの収納部品を如何なる一つの制限部の少なくとも一つの差込穴に設置し、該少なくとも一つの収納部品の一端は、内側に窪んで一つの収納槽を形成し、また、該収納槽の周縁部分より更にそれぞれ一つのフック部品を延伸する。且つ各フック部品の間は間隔を開けて設置し、且つ複数の切断部分を形成する。各フック部品は少なくとも一つの収納部品にあり、少なくとも一つの差込穴から外した後、うち一つの制限部に掛けて固定する。その中、少なくとも一つの収納部品をうち一つの制限部の差込穴に設置した際、ユーザーは傘を別の制限部の差込穴に通してから、少なくとも一つの収納部品の収納槽の底に抵触するように置くことで、傘内の雨の滴を集めることができる。逆に、少なくとも一つの収納部品を差込穴内から外し、且つフック部品を使って制限部に掛けて固定する際、ユーザーは収納槽を使って体積が比較的小さい物品を収納することができ、便利且つ迅速に取れる目的と効果に達する。
【０００７】
本考案の更なる技術特徴は、該少なくとも二つの制限部は更にそれぞれ一つの外枠部品を含み、少なくとも一つの差込穴は、外枠部品によって画設して形成する。また、別途設置した少なくとも一つの内部仕切部品の両端は外枠部品の内側と連接し、且つ少なくとも一つの差込穴を分け、該少なくとも一つの収納部品のフック部品は、外枠部品に掛けて、且つ少なくとも一つの差込穴の外側に設置する。
【０００８】
本考案の更なる技術特徴は、該少なくとも二つの制限部は、少なくとも一つのサポート部と同じ側に連結する。或いは、該少なくとも二つの制限部を少なくとも一つのサポート部の頂上と底の両端と連結し、且つそれぞれ少なくとも一つのサポート部の両サイドから凸伸する。或いは該少なくとも一つのサポート部は二枚のシートで形成し、且つ該二枚のシートをそれぞれ該少なくとも二つの制限部を挟む。
【０００９】
上述の本考案の技術特徴についてまとめると、当該メリットはユーザーが傘を畳んで置く場合、スタンド本体に形成する各少なくとも一つの差込穴及び少なくとも一つの収納部品のみを使用する。ユーザーは収納部品を設置していない差込穴に傘を挿入し、収納部品を設置した所に抵触する。このようにすれば、傘に付着した雨の滴は、地球の引力の影響を受け、収納部品の収納槽内に溜まる。ユーザーは水が溢れる前に収納部品を制限部から外し、水を捨てるだけでよい。そのほか、ユーザーが傘を収納する必要が無くなった場合、スタンド本体をデスクトップ、鏡台など如何なる場所に置くことができる。且つ収納部品を差込穴内から外し、更にフック部品を使って制限部に掛けて固定することで、制限部の壁面は各フック部品が形成する切断部分内に挿入する。収納部品の収納槽を上向きに設置すると、ユーザーは小物を収納槽内に集めて収納することができ、ユーザーが物を探す手間暇を大幅に減少することができる。
【考案の効果】
【００１０】
本考案の設計により、ユーザーは収納部品を設置していない差込穴に傘を挿入し、収納部品を設置した所に抵触するように置くと、傘に付着した雨の滴は収納部品の収納槽内に溜まり、傘の周りに水溜りができて美観を損ねる或いは危険な状態を招くのを防止することができる。
また、収納部品を差込穴内から外し、更にフック部品を使って制限部に掛けて固定することで、小物を収納槽内に集めて収納することができ、物を探す手間暇を大幅に減少することができる。
【図面の簡単な説明】
【００１１】
【図１】本考案の第一実施例の分解立体略図である。
【図２】本考案の収納部品の別の角度から見た立体略図である。
【図３】本考案の第一実施例の使用状態略図である。
【図４】本考案の第一実施例の断面略図である。
【図５】本考案の第二実施例の立体略図である。
【図６】本考案の第二実施例の別の形態の立体略図である。
【図７】本考案の第三実施例の分解立体略図である。
【図８】本考案の第三実施例の収納部品を制限部の外側に設置する立体略図である。
【図９】本考案の第三実施例の使用状態略図である。
【図１０】本考案の第四実施例の立体略図である。
【図１１】本考案の第四実施例の別の形態の立体略図である。
【考案を実施するための形態】
【００１２】
以下、本考案の構造と特徴および効果を、最良実施例と図面を参照しながら詳細に説明する。
【００１３】
本考案は多くの異なる形態の変化を具有する。まず本考案の第一実施例及び図１から図４に基づき説明し、且つその他の実施例の主な基礎となるため、本考案は一種の多機能の便利傘スタンドである。本考案に含まれるのは、一つのスタンド本体１及び少なくとも一つの収納部品である。該スタンド本体は少なくとも一つのサポート部１１及び、
少なくとも二つの制限部１２を具有し、該少なくとも二つの制限部１２は少なくとも一つのサポート部１１を連結し、且つ各制限部１２は間隔を開けて設置し、また各制限部１２は更に画設して少なくとも一つの差込穴１３を形成する。各図では複数の差込穴１３を主に表示し、各制限部１２の該少なくとも一つの差込穴１３は方形状の穴(穴の形を制限しない)であり、各制限部１２の少なくとも一つの差込穴１３は互いに対応して設置する。該少なくとも一つの収納部品２は、如何なる一つの制限部１２の少なくとも一つの差込穴１３に設置し、且つ少なくとも一つの収納部品２の形状は、差込穴１３の穴の形に対応する。また、該少なくとも一つの収納部品２の一端は、内側に窪んで一つの収納槽２１を形成し、また、該収納槽２１の周縁部分より更にそれぞれ一つの逆Ｌ字状のフック部品２２を延伸する。且つ各フック部品２２と相隣するフック部品２２の間は間隔を開けて設置し、且つ複数の切断部分２３を形成する。各フック部品２２は少なくとも一つの収納部品２にあり、少なくとも一つの差込穴１３から外した後、うち一つの制限部１２に掛けて固定する。その中、少なくとも一つの収納部品２をうち一つの制限部１２の差込穴１３に設置した際、ユーザーは傘１０を別の制限部１２の差込穴１３に通してから、少なくとも一つの収納部品２の収納槽２１の底に抵触するように置くことで、傘１０内の雨の滴を集めることができる。逆に、少なくとも一つの収納部品２を差込穴１３内から外し、且つフック部品２２を使って制限部１２に掛けて固定する際、ユーザーは収納槽２１を使って体積が比較的小さい物品を収納することができ、便利且つ迅速に取れる目的と効果に達する。
【００１４】
前記は本考案の主な実施例の主な技術特徴である。それに対応するのは本考案の請求項１の内容であり、詳しく本考案の目的と実施形態を知ることができる。他の付属請求項にて述べる技術特徴は、請求項１の内容を更に詳しく述べる或いは付加する技術特徴であり、請求項１の範囲を限定するためではない。本考案の請求項１は必ずその他の付属請求項にて述べる技術特徴を含む必要はない。
【００１５】
前記の説明により、本考案のスタンド本体１を傘立てスタンドとして使用する際、ユーザーはスタンド本体１を住居の玄関、ドアなどの出入り口に置くことができ、ユーザーが該出入り口に入る際、傘１０を畳んだ後、収納部品２を具有しない制限部１２の差込穴１３から傘１０の先端部を挿入し、対応する収納部品２に向けて収納槽２１の底に抵触するように置く。このようにすれば、ユーザーの傘１０は各制限部１２の差込穴１３の制限を受け、傾倒を防止する。また、更に収納部品２を傘１０の下方に設置し、傘１０の表面に付着した滴を全て該収納槽２１内に集めることができ、それにより滴が直接地面に流れ、ビジュアルの美観に影響し、及び転倒などの危険性が発生するのを防止することができる。また、該少なくとも一つの収納部品２の設置は、滴を溜める役割のほかに、更に少なくとも一つの収納部品２を差込穴１３内から外し、該収納部品２の片側にあるフック部品２２を使って、制限部１２に引っ掛ける。こうすれば、収納部品２を制限部１２に設置し、外側に延伸する状態を呈す。ユーザーは収納部品２の収納槽２１を使って、体積が比較的小さい物品を集中して収納することができる。スタンド本体１を小物の収納に使用する場合は、玄関やドアなどの場所に置く制限もなくなり、勉強机や作業台などの場所で使用することもできる。
【００１６】
本考案の各種実施例の形態を説明する前に、まず制限部１２の主な構造を説明する。各制限部１２は主に一つの外枠部品１２１で形成し、且つ各差込穴１３は外枠部品１２１によって画設して形成する。また、各外枠部品１２１の各サイドはシート状を呈するため、収納部品２がうち一つの片側のフック部品２２を制限部１２に引っ掛ける際、外枠部品１２１の片側を収納部品２の片側にあるフック部品２２の中に挿入するだけでよい。且つ挿入して該フック部品２２の両サイドに位置する切断部分２３により定位固定する。よって、小物を確実に収納槽２１内に置くことができ、簡単に落ちない。また、多くの傘１０を集中して収納、或いは異なる体積が小さい物品を集めるために、本考案は外枠部品１２１内、つまり差込穴１３内に、更に少なくとも一つの内部仕切部品１２２を設置する。該少なくとも一つの内部仕切り部品１２２の両端は差込穴１３の壁面に連接し、且つ該少なくとも一つの内部仕切部品１２２は、対応する差込穴１３を隔てることで、差込穴１３を複数の分けることができる。このようにすれば、内部仕切部品１２２の設置により、複数本の傘１０を集中して収納することができる。一方収納部品２もまた、傘１０の本数に基づき、随意に差込穴１３内に増設し、各傘１０の滴を集めることができる。それだけでなく、収納部品２の増設により体積が小さい物品の種類を増やして置くことができる。つまり、ユーザーは複数の収納部品２を全部、或いは一部を外枠部品１２１の外側に掛けて固定することで、置く数を増やすことができる。それにより本考案が追い求める目標及び目的に合致することができる。複数本の傘１０を集中して収納できるほか、ユーザーに様々な体積が小さい物品を置くことを提供することができ、言わば多機能に使用することができる。図１から図４を参照。
【実施例１】
【００１７】
前述の説明を主な基礎とし、下にそれぞれ本考案の主な四種類の実施例を挙げる。まず図１から図４に示すのは本考案の第一実施例である。図の中で示すように、それには二つの制限部１２及び一つのサポート部１１を具有する。二つの制限部１２はそれぞれサポート部１１の両端に連結して且つ同じサイドに位置する。つまり、二つの外枠部品１２１の片側はサポート部１１と連接し、且つ各外枠部品１２１の差込穴１３は、内部仕切部品１２２によって六つの穴に分けられる。また、図３に五つの収納部品２を設置し、うち一つの収納部品２は片側のフック部品２２を使って、上方にある外枠部品１２１の外周側に掛けて固定する。このようにすれば、傘１０及び体積の小さい物品を同時に置くことができる。
【実施例２】
【００１８】
引き続き図５に示すように、三つの制限部１２及び一つのサポート部１１を具有する。つまり、三つの外枠部品１２１がそれぞれサポート部１１に連結して且つ同じサイドに位置する。且つ各外枠部品１２１内にある差込穴１３は、内部仕切部品１２２によって六つの穴に分けられる。このようにすれば、長さの異なる傘１０を同時に収納することができる。図６が図５と異なる部分は、中間層の外枠部品１２１の差込穴１３は僅か三つの穴にのみ分けられるが、それの機能と効果、目的は変わらず、同様に傘１０を集めて設置し、及び収納部品２がフック部品２２を使って、如何なる一つの外枠部品１２１の外周側に掛けて固定することができる。
【実施例３】
【００１９】
更に図７から図９に示すのは、本考案の第三実施例である。更に二つの制限部１２及び二つのサポート部１１を具有し、主な設置方法は、各サポート部１１は二つの制限部１２を挟設することで、二つの制限部１２が互いに対応し、二つのサポート部１１が互いに対応する。つまり、二つのサポート部１１でそれぞれ二つの外枠部品１２１の両端を挟んで固定し、且つ各外枠部品１２１内は、内部仕切部品１２２によって、差込穴１３を四つの穴に形成する。また、更に二つの外枠部品１２１の間に単一の差込穴１３を延伸して外枠部品１２１を具有し、収納槽２１の数量は制限されない。本考案の第三実施例は同じく収納部品２を差込穴１３内から外し、フック部品２２を使って、如何なる一つの外枠部品１２１の外周サイドに掛けて固定することができ、更に傘１０収納し、及び体積が小さい物品を集中して収納することができる。
【実施例４】
【００２０】
図１０及び図１１に示すのは、本考案の第四実施例である。第四実施例が前述の三つの実施例と異なるのは、各制限部１２の設置方法である。第四実施例は二つの制限部を使って二つのサポート部１１を合わせるのがメイン構造である。且つ各制限部１２の両端はサポート部１１の両サイドから凸伸する。つまり、スタンド本体１全体がＩの字の形を呈する。図１０にある各制限部１２の外枠部品１２１は矩形を呈し、且つ内部仕切部品１２２によって差込穴１３を四つの穴に分けて形成する。図１１は六つの穴を具有し、且つ上層にある収納部品２は、フック部品２２を使って外枠部品１２１の外周側に掛けて固定し、それにより傘１０を集めて及び体積が小さい物品を収納する目的に達する。
【００２１】
上記の四つの実施例及び互いに対応する異なる形態は、いずれもユーザーが傘１０を集めて置けるものであり、傘に付いた雨の滴が地面に流れることで全体の美観を損ね、及び危険が発生する可能性を避ける。そのほか、スタンド本体１をテーブルに応用する際、収納部品２の設置により、自身のニーズ及びアイディアに基づき組み合わせることができる。収納部品２を差込穴１３内から外し、フック部品２２及び切断部分２３の組合せにより、フック部品２２を外枠部品１２１の外周側に掛けて固定することで、スタンド本体１は、体積が小さい幾らかの物品を収納できるだけでなく、各外枠部品１２１の各差込み穴１３には、幾らかの長い棒状の物品を置くことができる。更にユーザーの随意な設置により、スタンド本体１をテーブルの上のデコレーションとして形成することもできる。本考案は実用性の面でも大きな進歩があるほか、装飾として美観としてもレベルの高いものである。スタンド本体１と収納部品２の組合せは多機能の目的に達し、傘を集めて収納できるだけでなく、体積の小さい物品を集めて置くことができるため、ユーザーは素早く短時間ですぐに手に取ることができ、現代の人々の多機能に対するニーズと完全に合致している。
【００２２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２３】
１０  傘
１  スタンド本体
１１  サポート部
１２  制限部
１２１  外枠部品
１２２  内部仕切部品
１３  差込穴  
２  収納部品
２１  収納槽
２２  フック部品
２３  切断部分
【図１】
0003200557.tif 000003
【図２】
0003200557.tif 000004
【図３】
0003200557.tif 000005
【図４】
0003200557.tif 000006
【図５】
0003200557.tif 000007
【図６】
0003200557.tif 000008
【図７】
0003200557.tif 000009
【図８】
0003200557.tif 000010
【図９】
0003200557.tif 000011
【図１０】
0003200557.tif 000012
【図１１】
0003200557.tif 000013